(57)【要約】【課題】電流プログラム方式のディスプレイ駆動装置において、逆極性のプログラム電流を供給して、走査期間中に発光素子が発光することなく最適な階調表現を行う。【解決手段】ディスプレイ駆動装置１は、入力される電流に応じて発光する発光素子７と、発光素子７への電流を供給又は遮断するための駆動用トランジスタ８と、走査期間中に記憶された電流に応じて駆動用トランジスタ８を介して発光素子７へ電流を供給する電流プログラム回路１３と、電流プログラム回路１３へ電流を供給するプログラム用電流源２と、逆極性過電圧防止回路９とを有する。逆極性過電圧防止回路９は、電流プログラム回路１３からの電流を入力し、走査期間中、発光素子７への電流を遮断するよう駆動用トランジスタ８をオフ状態に制御し、かつ、その駆動用トランジスタ８のドレイン端子電圧が変化してオン状態になることを防止する。【選択図】図１
2007240909.tif 000002
【特許請求の範囲】
【請求項１】
入力される電流に応じて発光する発光ユニットと、
前記発光ユニットへの電流を供給又は遮断するための駆動用トランジスタと、
走査期間中に記憶された電流に応じて前記駆動用トランジスタを介して前記発光ユニットへ電流を供給する電流プログラム回路と、
前記電流プログラム回路へ電流を供給する電流源と、
前記電流プログラム回路からの電流を入力し、走査期間中、前記発光ユニットへの電流を遮断するよう前記駆動用トランジスタをオフ状態に制御し、かつ、その駆動用トランジスタの一方のソース／ドレイン端子電圧が変化してオン状態になることを防止する逆極性過電圧防止回路と、を備えたことを特徴とするディスプレイ駆動装置。
【請求項２】
前記逆極性過電圧防止回路は、
一方のソース／ドレイン端子が前記駆動用トランジスタの他方のソース／ドレイン端子と前記電流プログラム回路の出力端子とに接続され、他方のソース／ドレイン端子が前記発光ユニットの陰極へ接続されたｐ型トランジスタを備え、
前記駆動用トランジスタの他方のソース／ドレイン端子は、前記発光ユニットの陽極へ接続され、
走査期間中における前記ｐ型トランジスタのゲート端子電圧は、走査期間中における前記駆動用トランジスタのゲート端子電圧以下であり、前記ｐ型トランジスタの他方のソース／ドレイン端子とゲート端子との間の電圧は、前記ｐ型トランジスタの閾値電圧より高いことを特徴とする請求項１記載のディスプレイ駆動装置。
【請求項３】
前記逆極性過電圧防止回路は、
一方のソース／ドレイン端子が前記駆動用トランジスタの他方のソース／ドレイン端子と前記電流プログラム回路の出力端子とに接続されたｐ型トランジスタを備え、
前記駆動用トランジスタの他方のソース／ドレイン端子は、前記発光ユニットの陽極へ接続され、
走査期間中における前記ｐ型トランジスタのゲート端子電圧は、走査期間中における前記駆動用トランジスタのゲート端子電圧以下であり、前記ｐ型トランジスタの他方のソース／ドレイン端子の電圧とゲート端子の電圧とが等しいことを特徴とする請求項１記載のディスプレイ駆動装置。
【請求項４】
前記逆極性過電圧防止回路は、
一方のソース／ドレイン端子が前記駆動用トランジスタの他方のソース／ドレイン端子と前記電流プログラム回路の出力端子とに接続され、他方のソース／ドレイン端子が前記発光ユニットの陽極へ接続されたｎ型トランジスタを備え、
前記駆動用トランジスタの他方のソース／ドレイン端子は、前記発光ユニットの陰極へ接続され、
走査期間中における前記ｎ型トランジスタのゲート端子電圧は、走査期間中における前記駆動用トランジスタのゲート端子電圧以上であり、前記ｎ型トランジスタの他方のソース／ドレイン端子とゲート端子との間の電圧は前記ｎ型トランジスタの閾値電圧より低いことを特徴とする請求項１記載のディスプレイ駆動装置。
【請求項５】
前記逆極性過電圧防止回路は、
一方のソース／ドレイン端子が前記駆動用トランジスタの他方のソース／ドレイン端子と前記電流プログラム回路の出力端子とに接続されたｎ型トランジスタを備え、
前記駆動用トランジスタの他方のソース／ドレイン端子は、前記発光ユニットの陰極へ接続され、
走査期間中における前記ｎ型トランジスタのゲート端子電圧は、走査期間中における前記駆動用トランジスタのゲート端子電圧以上であり、前記ｎ型トランジスタの他方のソース／ドレイン端子の電圧とゲート端子の電圧とが等しいことを特徴とする請求項１記載のディスプレイ駆動装置。
【請求項６】
前記逆極性過電圧防止回路は、
一方のソース／ドレイン端子とゲート端子が前記駆動用トランジスタの他方のソース／ドレイン端子へ接続された第１のｐ型トランジスタと、
一方のソース／ドレイン端子が前記第１のｐ型トランジスタの他方のソース／ドレイン端子と前記電流プログラム回路の出力端子とに接続され、他方のソース／ドレイン端子は前記発光ユニットの陰極へ接続された第２のｐ型トランジスタとを備え
前記駆動用トランジスタの他方のソース／ドレイン端子は、前記発光ユニットの陽極へ接続され、
走査期間中における前記第２のｐ型トランジスタのゲート端子電圧は、走査期間中における前記駆動用トランジスタのゲート端子電圧以下であり、前記第２のｐ型トランジスタの他方のソース／ドレイン端子とゲート端子との間の電圧は前記第２のｐ型トランジスタの閾値電圧より高いことを特徴とする請求項１記載のディスプレイ駆動装置。
【請求項７】
前記逆極性過電圧防止回路は、
一方のソース／ドレイン端子とゲート端子が前記駆動用トランジスタの他方のソース／ドレイン端子へ接続された第１のｐ型トランジスタと、
一方のソース／ドレイン端子が前記第１のｐ型トランジスタの他方のソース／ドレイン端子と前記電流プログラム回路の出力端子とに接続された第２のｐ型トランジスタと、を備え、
前記駆動用トランジスタの他方のソース／ドレイン端子は前記発光ユニットの陽極へ接続され、
走査期間中における前記第２のｐ型トランジスタのゲート端子電圧は、走査期間中における前記駆動用トランジスタのゲート端子電圧以下であり、前記第２のｐ型トランジスタの他方のソース／ドレイン端子の電圧とゲート端子の電圧とが等しいことを特徴とする請求項１記載のディスプレイ駆動装置。
【請求項８】
前記逆極性過電圧防止回路は、
一方のソース／ドレイン端子とゲート端子とが前記駆動用トランジスタの他方のソース／ドレイン端子に接続された第１のｎ型トランジスタと、
一方のソース／ドレイン端子が前記第１のｎ型トランジスタの他方のソース／ドレイン端子と前記電流プログラム回路の出力端子とに接続され、他方のソース／ドレイン端子が前記発光ユニットの陽極へ接続された第２のｎ型トランジスタと、を備え、
前記駆動用トランジスタの他方のソース／ドレイン端子は前記発光ユニットの陰極へ接続され、
走査期間中における前記第２のｎ型トランジスタのゲート端子電圧は、走査期間中における前記駆動用トランジスタのゲート端子電圧以上であり、前記第２のｎ型トランジスタの他方のソース／ドレイン端子とゲート端子と間の電圧は前記第２のｎ型トランジスタの閾値電圧より低いことを特徴とする請求項１記載のディスプレイ駆動装置。
【請求項９】
前記逆極性過電圧防止回路は、
一方のソース／ドレイン端子とゲート端子とが前記駆動用トランジスタの他方のソース／ドレイン端子へ接続された第１のｎ型トランジスタと、
一方のソース／ドレイン端子が前記第１のｎ型トランジスタの他方のソース／ドレイン端子と前記電流プログラム回路の出力端子とに接続された第２のｎ型トランジスタと、を備え、
前記駆動用トランジスタの他方のソース／ドレイン端子は前記発光ユニットの陰極へ接続され、
走査期間中における前記第２のｎ型トランジスタのゲート端子電圧は、走査期間中における前記駆動用トランジスタのゲート端子電圧以上であり、前記第２のｎ型トランジスタの他方のソース／ドレイン端子の電圧とゲート端子の電圧とが等しいことを特徴とする請求項１記載のディスプレイ駆動装置。
【請求項１０】
前記逆極性過電圧防止回路は、
一方のソース／ドレイン端子が前記駆動用トランジスタの他方のソース／ドレイン端子へ接続されたｎ型トランジスタと、を備え、
一方のソース／ドレイン端子が前記ｎ型トランジスタの他方のソース／ドレイン端子及びゲート端子と前記電流プログラム回路の出力端子とに接続され、他方のソース／ドレイン端子は前記発光ユニットの陰極へ接続されたｐ型トランジスタと、
前記駆動用トランジスタの他方のソース／ドレイン端子は前記発光ユニットの陽極へ接続され、
走査期間中における前記ｐ型トランジスタのゲート端子電圧は、走査期間中における前記駆動用トランジスタのゲート端子電圧以下であり、前記ｐ型トランジスタの他方のソース／ドレイン端子とゲート端子と間の電圧は前記ｐ型トランジスタの閾値電圧より高いことを特徴とする請求項１記載のディスプレイ駆動装置。
【請求項１１】
前記逆極性過電圧防止回路は、
一方のソース／ドレイン端子が前記駆動用トランジスタの他方のソース／ドレイン端子へ接続されｎ型トランジスタと、を備え、
一方のソース／ドレイン端子が前記ｎ型トランジスタの他方のソース／ドレイン端子及びゲート端子と前記電流プログラム回路の出力端子とに接続された１つのｐ型トランジスタと、
前記駆動用トランジスタの他方のソース／ドレイン端子は前記発光ユニットの陽極へ接続され、
走査期間中における前記ｐ型トランジスタのゲート端子電圧は、走査期間中における前記駆動用トランジスタのゲート端子電圧以下であり、前記ｐ型トランジスタの他方のソース／ドレイン端子の電圧とゲート端子の電圧とが等しいことを特徴とする請求項１記載のディスプレイ駆動装置。
【請求項１２】
前記逆極性過電圧防止回路は、
一方のソース／ドレイン端子が前記駆動用トランジスタの他方のソース／ドレイン端子へ接続されたｐ型トランジスタと、
一方のソース／ドレイン端子が前記ｐ型トランジスタの他方のソース／ドレイン端子及びゲート端子と前記電流プログラム回路の出力端子とに接続され、他方のソース／ドレイン端子が前記発光ユニットの陽極へ接続されたｎ型トランジスタと、を備え、
前記駆動用トランジスタの他方のソース／ドレイン端子は前記発光ユニットの陰極へ接続され、
走査期間中における前記ｎ型トランジスタのゲート端子電圧は、走査期間中における前記駆動用トランジスタのゲート端子電圧以上であり、前記ｎ型トランジスタの他方のソース／ドレイン端子とゲート端子との間の電圧は前記ｎ型トランジスタの閾値電圧より低いことを特徴とする請求項１記載のディスプレイ駆動装置。
【請求項１３】
前記逆極性過電圧防止回路は、
一方のソース／ドレイン端子が前記駆動用トランジスタの他方のソース／ドレイン端子へ接続されたｐ型トランジスタと、
一方のソース／ドレイン端子が前記ｐ型トランジスタの他方のソース／ドレイン端子及びゲート端子と前記電流プログラム回路の出力端子とに接続されたｎ型トランジスタと、を備え
前記駆動用トランジスタの他方のソース／ドレイン端子は、前記発光ユニットの陰極へ接続され、
走査期間中における前記ｎ型トランジスタのゲート端子電圧は、走査期間中における前記駆動用トランジスタのゲート端子電圧以上であり、前記ｎ型トランジスタの他方のソース／ドレイン端子の電圧とゲート端子の電圧とが等しいことを特徴とする請求項１記載のディスプレイ駆動装置。
【請求項１４】
前記発光ユニットは、有機発光素子を含むことを特徴とする請求項１乃至１３のいずれか１つの請求項記載のディスプレイ駆動装置。
【請求項１５】
前記逆極性過電圧防止回路は、少なくとも１つのＴＦＴ（薄膜トランジスタ）を含むことを特徴とする請求項１乃至１３のいずれか１つの請求項記載のディスプレイ駆動装置。
【請求項１６】
前記電流プログラム回路は、少なくとも１つのＴＦＴを含むことを特徴とする請求項１乃至１３のいずれか１つの請求項記載のディスプレイ駆動装置。
【請求項１７】
前記電流プログラム回路は、カレントミラー方式であることを特徴とする請求項１乃至１３のいずれか１つの請求項記載のディスプレイ駆動装置。
【請求項１８】
前記電流プログラム回路は、カレントコピア方式であることを特徴とする請求項１乃至１３のいずれか１つの請求項記載のディスプレイ駆動装置。
【請求項１９】
前記電流源は、１つの走査期間中に互いに異なる複数の電流値を順次出力することを特徴とする請求項１乃至１３のいずれか１つの請求項記載のディスプレイ駆動装置。
【発明の詳細な説明】
【技術分野】
【０００１】
本発明は、ディスプレイ駆動装置に関する。特に、本発明は、電流量により階調表示を行う有機ＥＬ（エレクトロ・ルミネッセンス）パネル等を用いた電流プログラム方式のディスプレイのための駆動装置に関する。
【背景技術】
【０００２】
電流量により階調表示を行う有機ＥＬパネル等のディスプレイ装置においては、走査期間中に与えられる電流を保持する電流プログラム方式が用いられている。電流プログラム方式では、ソース信号線寄生容量の充放電が不十分である場合に走査期間内で所望の階調に応じたプログラム電流値まで到達できず所望の階調表現ができなくなるおそれがある。それを防ぐため、電流プログラム期間に先んじてプリチャージ期間を設けるプリチャージ方式が知られている。
【０００３】
特許文献１は、電流駆動により表示を行う表示装置において、低階調部で電流が少ないことにより所定電流値に変化できないことによる表示不良をなくすために、 各画素毎に入力された各種の入力信号に対応し、プリチャージ判定信号生成部を用いてそれぞれの画素毎にプリチャージを行うかどうかの個別のフラグを決定し、各入力信号毎の個別のフラグの組み合わせを判定し、その画素に対してプリチャージを行うかどうかの最終判定フラグを決定し、最終判定フラグが有効の場合にプリチャージ出力を印加するものであった。
【０００４】
また、特許文献２及び３は、電流出力型の半導体回路において出力電流が小さい場合ではソース信号線の浮遊容量の電荷の充放電が十分に行えず、水平走査期間内で電流が所定階調まで変化できないことをなくすために、階調０の時は電流が０であるため０階調となる電圧を出力する。これにより、信号線の電荷が２〜３μ秒で充放電され０階調を表示する。一方低階調表示を行う際には、はじめに０階調となる電圧を印加し、次に０階調から所定階調まで電流を変化させるために、まず最大電流を出力し、ソース信号線の浮遊容量の電荷を短時間で充放電し、次に所定電流値を出力することで所望の電流を短時間で得るものであった。
【０００５】
【特許文献１】特開２００５−３７８４４号公報。
【特許文献２】特開２００５−１８１４６１号公報。
【特許文献３】特開２００５−１８９４９７号公報。
【発明の開示】
【発明が解決しようとする課題】
【０００６】
しかしながら、プリチャージ方式においては、プログラム用及びプリチャージ用の２つの電圧源や、プリチャージ期間及びプログラム期間を切り替えるための機構等を必要とし、コスト低減が困難である。さらに、電流プログラム回路の電流電圧特性のばらつきに起因して、電圧プリチャージによって充放電された寄生容量の電圧値と、所望の階調に応じたプログラム電流値を得るときに必要となる寄生容量の電圧値との間に差が生じることがある。この差が大きい場合、電流プログラム期間で充放電に必要な時間が確保できず輝度むらが生じる可能性がある。
【０００７】
本発明の目的は以上の問題点を解決し、電流プログラム方式のディスプレイ駆動装置において、プリチャージ期間を設けずに最適な階調表現を行うディスプレイ駆動装置を提供することにある。
【課題を解決するための手段】
【０００８】
第１の発明に係るディスプレイ駆動装置は、入力される電流に応じて発光する発光ユニットと、前記発光ユニットへの電流を供給又は遮断するための駆動用トランジスタと、走査期間中に記憶された電流に応じて前記駆動用トランジスタを介して前記発光ユニットへ電流を供給する電流プログラム回路と、前記電流プログラム回路へ電流を供給する電流源と、前記電流プログラム回路からの電流を入力し、走査期間中、前記発光ユニットへの電流を遮断するよう前記駆動用トランジスタをオフ状態に制御し、かつ、その駆動用トランジスタの一方のソース／ドレイン端子電圧が変化してオン状態になることを防止する逆極性過電圧防止回路と、を備えたことを特徴とする。
【０００９】
第２の発明に係るディスプレイ駆動装置は、上記第１の発明に係るディスプレイ駆動装置において、前記逆極性過電圧防止回路は、一方のソース／ドレイン端子が前記駆動用トランジスタの他方のソース／ドレイン端子と前記電流プログラム回路の出力端子とに接続され、他方のソース／ドレイン端子が前記発光ユニットの陰極へ接続されたｐ型トランジスタを備え、前記駆動用トランジスタの他方のソース／ドレイン端子は、前記発光ユニットの陽極へ接続され、走査期間中における前記ｐ型トランジスタのゲート端子電圧は、走査期間中における前記駆動用トランジスタのゲート端子電圧以下であり、前記ｐ型トランジスタの他方のソース／ドレイン端子とゲート端子との間の電圧は、前記ｐ型トランジスタの閾値電圧より高いことを特徴とする。
【００１０】
第３の発明に係るディスプレイ駆動装置は、上記第１の発明に係るディスプレイ駆動装置において、前記逆極性過電圧防止回路は、一方のソース／ドレイン端子が前記駆動用トランジスタの他方のソース／ドレイン端子と前記電流プログラム回路の出力端子とに接続されたｐ型トランジスタを備え、前記駆動用トランジスタの他方のソース／ドレイン端子は、前記発光ユニットの陽極へ接続され、走査期間中における前記ｐ型トランジスタのゲート端子電圧は、走査期間中における前記駆動用トランジスタのゲート端子電圧以下であり、前記ｐ型トランジスタの他方のソース／ドレイン端子の電圧とゲート端子の電圧とが等しいことを特徴とする。
【００１１】
第４の発明に係るディスプレイ駆動装置は、上記第１の発明に係るディスプレイ駆動装置において、前記逆極性過電圧防止回路は、一方のソース／ドレイン端子が前記駆動用トランジスタの他方のソース／ドレイン端子と前記電流プログラム回路の出力端子とに接続され、他方のソース／ドレイン端子が前記発光ユニットの陽極へ接続されたｎ型トランジスタを備え、前記駆動用トランジスタの他方のソース／ドレイン端子は、前記発光ユニットの陰極へ接続され、走査期間中における前記ｎ型トランジスタのゲート端子電圧は、走査期間中における前記駆動用トランジスタのゲート端子電圧以上であり、前記ｎ型トランジスタの他方のソース／ドレイン端子とゲート端子との間の電圧は前記ｎ型トランジスタの閾値電圧より低いことを特徴とする。
【００１２】
第５の発明に係るディスプレイ駆動装置は、上記第１の発明に係るディスプレイ駆動装置において、前記逆極性過電圧防止回路は、一方のソース／ドレイン端子が前記駆動用トランジスタの他方のソース／ドレイン端子と前記電流プログラム回路の出力端子とに接続されたｎ型トランジスタを備え、前記駆動用トランジスタの他方のソース／ドレイン端子は、前記発光ユニットの陰極へ接続され、走査期間中における前記ｎ型トランジスタのゲート端子電圧は、走査期間中における前記駆動用トランジスタのゲート端子電圧以上であり、前記ｎ型トランジスタの他方のソース／ドレイン端子の電圧とゲート端子の電圧とが等しいことを特徴とする。
【００１３】
第６の発明に係るディスプレイ駆動装置は、上記第１の発明に係るディスプレイ駆動装置において、前記逆極性過電圧防止回路は、一方のソース／ドレイン端子とゲート端子が前記駆動用トランジスタの他方のソース／ドレイン端子へ接続された第１のｐ型トランジスタと、一方のソース／ドレイン端子が前記第１のｐ型トランジスタの他方のソース／ドレイン端子と前記電流プログラム回路の出力端子とに接続され、他方のソース／ドレイン端子は前記発光ユニットの陰極へ接続された第２のｐ型トランジスタとを備え前記駆動用トランジスタの他方のソース／ドレイン端子は、前記発光ユニットの陽極へ接続され、走査期間中における前記第２のｐ型トランジスタのゲート端子電圧は、走査期間中における前記駆動用トランジスタのゲート端子電圧以下であり、前記第２のｐ型トランジスタの他方のソース／ドレイン端子とゲート端子との間の電圧は前記第２のｐ型トランジスタの閾値電圧より高いことを特徴とする。
【００１４】
第７の発明に係るディスプレイ駆動装置は、上記第１の発明に係るディスプレイ駆動装置において、前記逆極性過電圧防止回路は、一方のソース／ドレイン端子とゲート端子が前記駆動用トランジスタの他方のソース／ドレイン端子へ接続された第１のｐ型トランジスタと、一方のソース／ドレイン端子が前記第１のｐ型トランジスタの他方のソース／ドレイン端子と前記電流プログラム回路の出力端子とに接続された第２のｐ型トランジスタと、を備え、前記駆動用トランジスタの他方のソース／ドレイン端子は前記発光ユニットの陽極へ接続され、走査期間中における前記第２のｐ型トランジスタのゲート端子電圧は、走査期間中における前記駆動用トランジスタのゲート端子電圧以下であり、前記第２のｐ型トランジスタの他方のソース／ドレイン端子の電圧とゲート端子の電圧とが等しいことを特徴とする。
【００１５】
第８の発明に係るディスプレイ駆動装置は、上記第１の発明に係るディスプレイ駆動装置において、前記逆極性過電圧防止回路は、一方のソース／ドレイン端子とゲート端子とが前記駆動用トランジスタの他方のソース／ドレイン端子に接続された第１のｎ型トランジスタと、一方のソース／ドレイン端子が前記第１のｎ型トランジスタの他方のソース／ドレイン端子と前記電流プログラム回路の出力端子とに接続され、他方のソース／ドレイン端子が前記発光ユニットの陽極へ接続された第２のｎ型トランジスタと、を備え、前記駆動用トランジスタの他方のソース／ドレイン端子は前記発光ユニットの陰極へ接続され、走査期間中における前記第２のｎ型トランジスタのゲート端子電圧は、走査期間中における前記駆動用トランジスタのゲート端子電圧以上であり、前記第２のｎ型トランジスタの他方のソース／ドレイン端子とゲート端子と間の電圧は前記第２のｎ型トランジスタの閾値電圧より低いことを特徴とする。
【００１６】
第９の発明に係るディスプレイ駆動装置は、上記第１の発明に係るディスプレイ駆動装置において、前記逆極性過電圧防止回路は、一方のソース／ドレイン端子とゲート端子とが前記駆動用トランジスタの他方のソース／ドレイン端子へ接続された第１のｎ型トランジスタと、一方のソース／ドレイン端子が前記第１のｎ型トランジスタの他方のソース／ドレイン端子と前記電流プログラム回路の出力端子とに接続された第２のｎ型トランジスタと、を備え、前記駆動用トランジスタの他方のソース／ドレイン端子は前記発光ユニットの陰極へ接続され、走査期間中における前記第２のｎ型トランジスタのゲート端子電圧は、走査期間中における前記駆動用トランジスタのゲート端子電圧以上であり、前記第２のｎ型トランジスタの他方のソース／ドレイン端子の電圧とゲート端子の電圧とが等しいことを特徴とする。
【００１７】
第１０の発明に係るディスプレイ駆動装置は、上記第１の発明に係るディスプレイ駆動装置において、前記逆極性過電圧防止回路は、一方のソース／ドレイン端子が前記駆動用トランジスタの他方のソース／ドレイン端子へ接続されたｎ型トランジスタと、を備え、一方のソース／ドレイン端子が前記ｎ型トランジスタの他方のソース／ドレイン端子及びゲート端子と前記電流プログラム回路の出力端子とに接続され、他方のソース／ドレイン端子は前記発光ユニットの陰極へ接続されたｐ型トランジスタと、前記駆動用トランジスタの他方のソース／ドレイン端子は前記発光ユニットの陽極へ接続され、走査期間中における前記ｐ型トランジスタのゲート端子電圧は、走査期間中における前記駆動用トランジスタのゲート端子電圧以下であり、前記ｐ型トランジスタの他方のソース／ドレイン端子とゲート端子と間の電圧は前記ｐ型トランジスタの閾値電圧より高いことを特徴とする。
【００１８】
第１１の発明に係るディスプレイ駆動装置は、上記第１の発明に係るディスプレイ駆動装置において、前記逆極性過電圧防止回路は、一方のソース／ドレイン端子が前記駆動用トランジスタの他方のソース／ドレイン端子へ接続されｎ型トランジスタと、を備え、一方のソース／ドレイン端子が前記ｎ型トランジスタの他方のソース／ドレイン端子及びゲート端子と前記電流プログラム回路の出力端子とに接続された１つのｐ型トランジスタと、前記駆動用トランジスタの他方のソース／ドレイン端子は前記発光ユニットの陽極へ接続され、走査期間中における前記ｐ型トランジスタのゲート端子電圧は、走査期間中における前記駆動用トランジスタのゲート端子電圧以下であり、前記ｐ型トランジスタの他方のソース／ドレイン端子の電圧とゲート端子の電圧とが等しいことを特徴とする。
【００１９】
第１２の発明に係るディスプレイ駆動装置は、上記第１の発明に係るディスプレイ駆動装置において、前記逆極性過電圧防止回路は、一方のソース／ドレイン端子が前記駆動用トランジスタの他方のソース／ドレイン端子へ接続されたｐ型トランジスタと、一方のソース／ドレイン端子が前記ｐ型トランジスタの他方のソース／ドレイン端子及びゲート端子と前記電流プログラム回路の出力端子とに接続され、他方のソース／ドレイン端子が前記発光ユニットの陽極へ接続されたｎ型トランジスタと、を備え、前記駆動用トランジスタの他方のソース／ドレイン端子は前記発光ユニットの陰極へ接続され、走査期間中における前記ｎ型トランジスタのゲート端子電圧は、走査期間中における前記駆動用トランジスタのゲート端子電圧以上であり、前記ｎ型トランジスタの他方のソース／ドレイン端子とゲート端子との間の電圧は前記ｎ型トランジスタの閾値電圧より低いことを特徴とする。
【００２０】
第１３の発明に係るディスプレイ駆動装置は、上記第１の発明に係るディスプレイ駆動装置において、前記逆極性過電圧防止回路は、一方のソース／ドレイン端子が前記駆動用トランジスタの他方のソース／ドレイン端子へ接続されたｐ型トランジスタと、一方のソース／ドレイン端子が前記ｐ型トランジスタの他方のソース／ドレイン端子及びゲート端子と前記電流プログラム回路の出力端子とに接続されたｎ型トランジスタと、を備え前記駆動用トランジスタの他方のソース／ドレイン端子は、前記発光ユニットの陰極へ接続され、走査期間中における前記ｎ型トランジスタのゲート端子電圧は、走査期間中における前記駆動用トランジスタのゲート端子電圧以上であり、前記ｎ型トランジスタの他方のソース／ドレイン端子の電圧とゲート端子の電圧とが等しいことを特徴とする。
【００２１】
第１４の発明に係るディスプレイ駆動装置は、上記第１乃至第１３のいずれかの発明に係るディスプレイ駆動装置において、前記発光ユニットは、有機発光素子を含むことを特徴とする。
【００２２】
第１５の発明に係るディスプレイ駆動装置は、上記第１乃至第１３のいずれかの発明に係るディスプレイ駆動装置において、前記逆極性過電圧防止回路は、少なくとも１つのＴＦＴ（薄膜トランジスタ）を含むことを特徴とする。
【００２３】
第１６の発明に係るディスプレイ駆動装置は、上記第１乃至第１３のいずれかの発明に係るディスプレイ駆動装置において、前記電流プログラム回路は、少なくとも１つのＴＦＴを含むことを特徴とする。
【００２４】
第１７の発明に係るディスプレイ駆動装置は、上記第１乃至第１３のいずれかの発明に係るディスプレイ駆動装置において、前記電流プログラム回路は、カレントミラー方式であることを特徴とする。
【００２５】
第１８の発明に係るディスプレイ駆動装置は、上記第１乃至第１３のいずれかの発明に係るディスプレイ駆動装置において、前記電流プログラム回路は、カレントコピア方式であることを特徴とする。
【００２６】
第１９の発明に係るディスプレイ駆動装置は、上記第１乃至第１３のいずれかの発明に係るディスプレイ駆動装置において、前記電流源は、１つの走査期間中に互いに異なる複数の電流値を順次出力することを特徴とする。
【発明の効果】
【００２７】
本発明に係るディスプレイ駆動装置によれば、電流プログラム方式のディスプレイ駆動装置において、プリチャージ期間を設けずに最適な階調表現を行うことができる。
【発明を実施するための最良の形態】
【００２８】
以下、本発明に係る実施形態について図面を参照して説明する。なお、以下の各実施形態において、同様の構成要素については同一の符号を付している。
【００２９】
≪実施形態１≫
図１は、本発明の実施形態１に係る電流プログラム方式のディスプレイ駆動装置１の構成を示す回路図である。本実施形態のディスプレイ駆動装置は、例えば、有機ＥＬディスプレイに利用される有機ＥＬパネルを駆動する。図１において、ディスプレイ駆動装置１は、ソース信号線ＬＳに与えられる電流Ｉｓを生成するプログラム用電流源２、プログラム電流Ｉｐを供給する電流プログラム回路１３、入力される電流に応じて発光する有機発光素子７（以下、単に発光素子７という。）、ゲート信号線ＬＧ２に入力される信号によって制御されるスイッチとしての駆動用トランジスタ８、及び、走査期間中に駆動用トランジスタ８がオン状態となることを防止するための逆極性過電圧防止回路９を備える。
【００３０】
ディスプレイ駆動装置１は、所定の電圧Ｖｄｄを供給するＥＬ電源（図示しない）に接続されたＥＬ電源線ＬＰと、ディスプレイ駆動装置１の各トランジスタを制御するための信号を入力するためのゲート信号線ＬＧ１及びＬＧ２と、表示階調に応じた電流Ｉｓをディスプレイ駆動装置１へ伝播させるためのソース信号線ＬＳとに接続されている。
【００３１】
電流プログラム回路１３は、プログラム電流Ｉｐに応じた電荷を保持する記憶容量３、ゲート信号線ＬＧ１に入力される信号によって制御されるトランジスタ４及び６、及び、記憶容量３の保持電荷に応じてソースドレイン間を流れる電流を制御するトランジスタ５を備える。図１において、電流プログラム回路１３は、カレントコピア方式であるが、本発明はこの構成に限らず、カレントミラー方式であってもよい。
【００３２】
記憶容量３及びトランジスタ４のソース−ドレイン回路は、ＥＬ電源線ＬＰと逆極性過電圧防止回路９の入力端との間に直列に接続され、トランジスタ４のゲート端子はゲート信号線ＬＧ１に接続されている。トランジスタ５のソース−ドレイン回路は、上記記憶容量３及びトランジスタ４の直列回路と並列して、ＥＬ電源線ＬＰと逆極性過電圧防止回路９の入力端との間に接続され、トランジスタ５のゲート端子は記憶容量３及びトランジスタ４の接続点に接続されている。トランジスタ６のソース−ドレイン回路は、上記記憶容量３及びトランジスタ４のソース−ドレイン回路の直列回路とトランジスタ５のゲート端子との接続点と、ソース信号線ＬＳとの間に接続され、ゲート端子はゲート信号線ＬＧ１に接続されている。
【００３３】
発光素子７のカソード端子（陰極）は接地電位に接続され、そのアノード端子（陽極）は駆動用トランジスタ８のソース端子に接続されている。駆動用トランジスタ８のソース端子は発光素子７のアノード端子に接続され、ドレイン端子は逆極性過電圧防止回路９の出力端に接続され、ゲート端子はゲート信号線ＬＧ２に接続されている。
【００３４】
逆極性過電圧防止回路９は、駆動用トランジスタ８のゲート端子電圧（ゲート信号線ＬＧ２の電圧）Ｖｇ８と駆動用トランジスタ８の閾値電圧Ｖｔｈ８との差電圧（Ｖｇ８−Ｖｔｈ８）よりも低い所定の電圧Ｖｐ以上の電圧が駆動用トランジスタ８のドレイン端子に印加されることを防止する。即ち、逆極性過電圧防止回路９は、入力した電圧が電圧Ｖｐ以上である場合には、その入力した電圧を電圧Ｖｐより低い電圧に降圧して出力するための降圧回路を含む。
【００３５】
なお、図１において、発光素子７に接続された駆動用トランジスタ８の一端をソース端子、逆極性過電圧防止回路９に接続された駆動用トランジスタ８の他端をドレイン端子としている。しかし、本発明の実施形態としては、これに限らず、各トランジスタにおいて、ソース端子及びドレイン端子が逆であってもよい。また、ここでは、各電流Ｉｓ及びＩｐは、図１の矢印方向に電流を供給するときを正極性、矢印方向とは逆方向に電流を供給するときを逆極性とする。
【００３６】
図１のように構成されたディスプレイ駆動装置１について、以下その動作について説明する。一例として、走査期間中において、ゲート信号線ＬＧ１及びＬＧ２に入力される信号の電圧と電流Ｉｓとが図２のように操作される場合について考える。図２は、本実施形態に係るディスプレイ駆動装置１の動作を説明する図である。
【００３７】
図２の第Ｎ−１ラインプログラム期間において、トランジスタ４及び６は、ゲート信号線ＬＧ１を介して入力されるハイレベルの電圧によってオン状態（導通状態）に制御されている。ゲート信号線ＬＧ２を介して入力される電圧はロウレベルである。電流Ｉｓ及び電流Ｉｐによって、記憶容量３が充電される。このとき、駆動用トランジスタ８の閾値電圧Ｖｔｈ８と、ゲート信号線ＬＧ２の電圧Ｖｇ８との間には以下の関係式（１）が成り立つため、駆動用トランジスタ８は、オフ状態（非導通状態）に制御される。
【００３８】
［数１］
Ｖｇ８＞Ｖｔｈ８・・・（１）
【００３９】
次に、第Ｎラインプログラム期間中において、ゲート信号線ＬＧ１を介して入力される信号の電圧がロウレベルとなるため、トランジスタ４及び６はオフ状態（非導通状態）に制御される。また、ゲート信号線ＬＧ２を介して入力される信号の電圧がハイレベルとなる。プログラム用電流源２は、逆極性の電流Ｉｓをソース信号線ＬＳに供給する。記憶容量３は最初放電されて、後に逆極性で充電される。プログラム電流Ｉｐは、逆極性の電流Ｉｓに対応する値（負値）に収束する。このとき、駆動用トランジスタ８のドレイン端子電圧が上昇しようとするが、逆極性過電圧防止回路９が設けられている故に、駆動用トランジスタ８のドレイン端子電圧が電圧Ｖｇ８と電圧Ｖｔｈ８との差電圧（Ｖｇ８−Ｖｔｈ８）よりも低い所定の電圧Ｖｐ以上に上昇することがない。言い換えれば、駆動用トランジスタ８のドレイン−ゲート間端子電圧が、駆動用トランジスタ８の閾値電圧Ｖｔｈ８以下になることはない。従って、駆動用トランジスタ８は、第Ｎラインプログラム期間においてもオフ状態に維持され、図２に示すように、発光素子７を流れる電流（ＥＬ電流）は第Ｎラインプログラム期間において０である。即ち、ソース信号線ＬＳに逆極性の電流Ｉｓを供給して、第Ｎラインプログラム期間に発光素子７が発光して階調表現を妨げることがない。
【００４０】
さらに次に、第Ｎ＋１ラインプログラム期間中において、トランジスタ４及び６は、ゲート信号線ＬＧ１を介して入力されるハイレベルの電圧によって再びオン状態（導通状態）に制御される。駆動用トランジスタ８は、ゲート信号線ＬＧ２を介して入力されるロウレベルの電圧によってオフ状態（非導通状態）に制御される。プログラム用電流源２は、電流Ｉｓを０とする。記憶容量３は放電され、プログラム電流Ｉｐは、０に収束する。第Ｎ＋１ラインプログラム期間においても、駆動用トランジスタ８は、オフ状態に維持される。
【００４１】
本実施形態に係るディスプレイ駆動装置１によれば、プリチャージ期間を設けなくても最適な階調表現を行うことができる。また、本実施形態に係るディスプレイ駆動装置１によれば、逆極性のプログラム電流を供給することによっても走査期間中に発光素子が発光することなく最適な階調表現を行うことができる。
【００４２】
なお、電流プログラム回路１３を構成する各トランジスタ４，５，６として、ＴＦＴ（薄膜トランジスタ）を用いてもよく、本実施形態と同様の効果を奏する。
【００４３】
≪実施形態２≫
図３は、本発明の実施形態２におけるディスプレイ駆動装置１Ａの構成を示す回路図である。本発明の実施形態２におけるディスプレイ駆動装置１Ａは、図１に示した実施形態１に係る逆極性過電圧防止回路９に代えて逆極性過電圧防止回路９Ａを有する点において、図１に示した実施形態１に係るディスプレイ駆動装置１とは異なる。それ以外の点においては、図１に示した実施形態１に係るディスプレイ駆動装置１と同様であり、同一符号を付した構成要素についての重複した詳細な説明は省略する。
【００４４】
逆極性過電圧防止回路９Ａは、トランジスタ１０を有する。トランジスタ１０のドレイン端子は発光素子７のカソード端子に接続され、そのソース端子は電流プログラム回路１３の出力端子及び駆動用トランジスタ８のドレイン端子に接続され、そのゲート端子はＥＬ電源線ＬＰに接続されている。
【００４５】
図３のように構成されたディスプレイ駆動装置１Ａにおいて、トランジスタ１０の閾値電圧をＶｔｈ１０とすると、以下の関係式（２）が成り立つようにＥＬ電源線ＬＰに接続されるＥＬ電源（図示しない）の電圧Ｖｄｄ及びゲート信号線ＬＧ２の電圧Ｖｇ８を設定する。
【００４６】
［数２］
Ｖｄｄ−Ｖｔｈ１０＜Ｖｇ８−Ｖｔｈ８・・・（２）
【００４７】
第Ｎラインプログラム期間中において、逆極性の電流Ｉｓをソース信号線ＬＳに供給した場合、電圧Ｖｇ８及び電圧Ｖｔｈ８の差電圧（Ｖｇ８−Ｖｔｈ８）よりも電圧Ｖｄｄ及び電圧Ｖｔｈ１０の差電圧（Ｖｄｄ−Ｖｔｈ１０）の方が小さい。これにより、駆動用トランジスタ８のドレイン端子電圧が上昇しても、駆動用トランジスタ８がオン状態になるよりも前にトランジスタ１０が先にオン状態になり、駆動用トランジスタ８がオン状態となることを防ぐ。従って、駆動用トランジスタ８は、第Ｎラインプログラム期間においてもオフ状態を維持できる。
【００４８】
本実施形態に係るディスプレイ駆動装置１Ａによれば、プリチャージ期間を設けなくても最適な階調表現を行うことができる。また、本実施形態に係るディスプレイ駆動装置１Ａによれば、逆極性のプログラム電流を供給することによっても走査期間中に発光素子が発光することなく最適な階調表現を行うことができる。
【００４９】
なお、本実施形態において、トランジスタ１０は、Ｐ型トランジスタであった。しかし、本発明はこの構成に限らず、トランジスタ１０がＮ型トランジスタであってもよい。この場合でも、発光素子７のカソード端子及びアノード端子を逆に接続し、走査期間中におけるトランジスタ１０のゲート端子電圧Ｖｄｄが走査期間中における駆動用トランジスタ８のゲート端子電圧Ｖｇ８以上であり、トランジスタ１０のドレイン−ゲート端子間電圧がトランジスタ１０の閾値電圧Ｖｔｈ１０より低くなるように設定することで、本実施形態と同様の効果が得られる。また、トランジスタ１０として、ＴＦＴ（薄膜トランジスタ）を用いてもよく、本実施形態と同様の効果を奏する。
【００５０】
≪実施形態３≫
図４は、本発明の実施形態３におけるディスプレイ駆動装置１Ｂの構成を示す回路図である。本発明の実施形態３におけるディスプレイ駆動装置１Ｂは、図１に示した実施形態１に係る逆極性過電圧防止回路９に代えて逆極性過電圧防止回路９Ｂを有する点において、図１に示した実施形態１に係るディスプレイ駆動装置１とは異なる。それ以外の点においては、図１に示した実施形態１に係るディスプレイ駆動装置１と同様であり、同一符号を付した構成要素についての重複した詳細な説明は省略する。
【００５１】
逆極性過電圧防止回路９Ｂは、トランジスタ１１を有する。トランジスタ１１のドレイン端子及びゲート端子はＥＬ電源線ＬＰに接続され、そのソース端子は電流プログラム回路１３の出力端及び駆動用トランジスタ８のドレイン端子に接続されている。
【００５２】
図４のように構成されたディスプレイ駆動装置１Ｂにおいて、トランジスタ１１の閾値電圧をＶｔｈ１１とすると、以下の関係式（３）が成り立つようにＥＬ電源線ＬＰに接続されるＥＬ電源（図示しない）の電圧Ｖｄｄ及びゲート信号線ＬＧ２の電圧Ｖｇ８を設定する。
【００５３】
［数３］
Ｖｄｄ−Ｖｔｈ１１＜Ｖｇ８−Ｖｔｈ８・・・（３）
【００５４】
第Ｎラインプログラム期間中において、逆極性の電流Ｉｓをソース信号線ＬＳに供給した場合、電圧Ｖｇ８及び電圧Ｖｔｈ８の差電圧（Ｖｇ８−Ｖｔｈ８）よりも電圧Ｖｄｄ及び電圧Ｖｔｈ１１の差電圧（Ｖｄｄ−Ｖｔｈ１１）の方が小さい。これにより、駆動用トランジスタ８のドレイン端子電圧が上昇しても、駆動用トランジスタ８がオン状態になるよりも前にトランジスタ１１が先にオン状態になり、駆動用トランジスタ８がオン状態になることを防ぐ。従って、駆動用トランジスタ８は、第Ｎラインプログラム期間においてもオフ状態を維持できる。
【００５５】
本実施形態に係るディスプレイ駆動装置１Ｂによれば、プリチャージ期間を設けなくても最適な階調表現を行うことができる。また、本実施形態に係るディスプレイ駆動装置１Ｂによれば、逆極性のプログラム電流を供給することによっても走査期間中に発光素子が発光することなく最適な階調表現を行うことができる。
【００５６】
なお、本実施形態において、トランジスタ１１は、Ｐ型トランジスタであった。しかし、本発明はこの構成に限らず、トランジスタ１１がＮ型トランジスタであっても
よい。この場合でも、発光素子７のカソード端子及びアノード端子を逆に接続し、走査期間中におけるトランジスタ１１のゲート端子電圧Ｖｄｄが走査期間中における駆動用トランジスタ８のゲート端子電圧Ｖｇ８以上になるように設定することで、本実施形態と同様の効果が得られる。また、トランジスタ１１としてＴＦＴ（薄膜トランジスタ）を用いてもよく、本実施形態と同様の効果を奏する。
【００５７】
≪実施形態４≫
図５は、本発明の実施形態４におけるディスプレイ駆動装置１Ｃの構成を示す回路図である。本発明の実施形態４におけるディスプレイ駆動装置１Ｃは、図１に示した実施形態１に係る逆極性過電圧防止回路９に代えて逆極性過電圧防止回路９Ｃを有する点において、図１に示した実施形態１に係るディスプレイ駆動装置１とは異なる。それ以外の点においては、図１に示した実施形態１に係るディスプレイ駆動装置１と同様であり、同一符号を付した構成要素についての重複した詳細な説明は省略する。
【００５８】
逆極性過電圧防止回路９Ｃは、トランジスタ１０及び１２を有する。トランジスタ１０のドレイン端子は発光素子７のカソード端子に接続され、そのソース端子は電流プログラム回路１３の出力端に接続され、そのゲート端子はＥＬ電源線ＬＰに接続されている。トランジスタ１２のソース端子及びゲート端子は駆動用トランジスタ８のドレイン端子に接続され、そのドレイン端子は電流プログラム回路１３の出力端及びトランジスタ１０のソース端子に接続されている。
【００５９】
図５のように構成されたディスプレイ駆動装置１Ｃにおいて、トランジスタ１０の閾値電圧をＶｔｈ１０とし、トランジスタ１２の閾値電圧をＶｔｈ１２とすると、以下の関係式（５）が成り立つようにＥＬ電源線ＬＰに接続されるＥＬ電源（図示しない）の電圧Ｖｄｄ及びゲート信号線ＬＧ２の電圧Ｖｇ８を設定する。
【００６０】
［数４］
Ｖｄｄ−Ｖｔｈ１０＜Ｖｇ８−Ｖｔｈ８＋Ｖｔｈ１２・・・（４）
【００６１】
第Ｎラインプログラム期間中において、逆極性の電流Ｉｓをソース信号線ＬＳに供給した場合、電圧Ｖｇ８及び電圧Ｖｔｈ８の差電圧（Ｖｇ８−Ｖｔｈ８）よりも電圧Ｖｄｄから電圧Ｖｔｈ１０及び電圧Ｖｔｈ１２を引いた電圧（Ｖｄｄ−Ｖｔｈ１０−Ｖｔｈ１２）の方が小さい。これにより、駆動用トランジスタ８のドレイン端子電圧が上昇しても、駆動用トランジスタ８がオン状態になるよりも前にトランジスタ１０が先にオン状態になり、駆動用トランジスタ８がオン状態になることを防ぐ。従って、駆動用トランジスタ８は、第Ｎラインプログラム期間においてもオフ状態を維持できる。
【００６２】
本実施形態に係るディスプレイ駆動装置１Ｃによれば、プリチャージ期間を設けなくても最適な階調表現を行うことができる。また、本実施形態に係るディスプレイ駆動装置１Ｃによれば、逆極性のプログラム電流を供給することによっても走査期間中に発光素子が発光することなく最適な階調表現を行うことができる。
【００６３】
また、上記構成によれば、例えば、同じタイプのトランジスタを使用する等によって、トランジスタ１０及び駆動用トランジスタ８の各閾値電圧が等しい場合（即ち、Ｖｔｈ１０＝Ｖｔｈ８の場合）でも、ＥＬ電源線電圧Ｖｄｄとゲート信号線ＬＧ２のオフ制御電圧Ｖｇ８を等しくできるので、ディスプレイ駆動装置の回路構成を簡素化できる。
【００６４】
なお、本実施形態において、トランジスタ１０及び１２は、Ｐ型トランジスタであった。しかし、本発明はこの構成に限らず、トランジスタ１０及び１２がＮ型トランジスタであってもよい。また、トランジスタ１０及び１２が、それぞれＰ型及びＮ型トランジスタであっても、Ｎ型及びＰ型トランジスタであってもよい。トランジスタ１０がＮ型トランジスタである場合には、発光素子７のカソード端子及びアノード端子を逆に接続し、走査期間中におけるトランジスタ１０のゲート端子電圧Ｖｄｄは、走査期間中における駆動用トランジスタ８のゲート端子電圧Ｖｇ８以上であり、トランジスタ１０のドレイン−ゲート端子間電圧がトランジスタ１０の閾値電圧Ｖｔｈ１０より低くなるように設定し、トランジスタ１０及び１２がそれぞれＰ型及びＮ型トランジスタ、又はＮ型及びＰ型トランジスタである場合には、トランジスタ１２のゲート端子をドレイン端子側に接続することで本実施形態と同様の効果が得られる。また、トランジスタ１０及び１２としてＴＦＴ（薄膜トランジスタ）を用いてもよく、本実施形態と同様の効果を奏する。
【００６５】
≪実施形態５≫
図６は、本発明の実施形態５におけるディスプレイ駆動装置１Ｄの構成を示す回路図である。本発明の実施形態５におけるディスプレイ駆動装置１Ｄは、図１に示した実施形態１に係る逆極性過電圧防止回路９に代えて逆極性過電圧防止回路９Ｄを有する点において、図１に示した実施形態１に係るディスプレイ駆動装置１とは異なる。それ以外の点においては、図１に示した実施形態１に係るディスプレイ駆動装置１と同様であり、同一符号を付した構成要素についての重複した詳細な説明は省略する。
【００６６】
逆極性過電圧防止回路９Ｄは、トランジスタ１１及び１２を有する。トランジスタ１１のドレイン端子及びゲート端子はＥＬ電源線ＬＰに接続され、そのソース端子は電流プログラム回路１３の出力端に接続されている。トランジスタ１２のソース端子及びゲート端子は駆動用トランジスタ８のドレイン端子に接続され、そのドレイン端子は電流プログラム回路１３の出力端及びトランジスタ１１のソース端子に接続されている。
【００６７】
図６のように構成されたディスプレイ駆動装置１Ｄにおいて、トランジスタ１１の閾値電圧をＶｔｈ１１とし、トランジスタ１２の閾値電圧をＶｔｈ１２とすると、以下の関係式（５）が成り立つようにＥＬ電源線ＬＰに接続されるＥＬ電源（図示しない）の電圧Ｖｄｄ及びゲート信号線ＬＧ２の電圧Ｖｇ８を設定する。
【００６８】
［数５］
Ｖｄｄ−Ｖｔｈ１１＜Ｖｇ８−Ｖｔｈ８＋Ｖｔｈ１２・・・（５）
【００６９】
第Ｎラインプログラム期間中において、逆極性の電流Ｉｓをソース信号線ＬＳに供給した場合、電圧Ｖｇ８及び電圧Ｖｔｈ８の差電圧（Ｖｇ８−Ｖｔｈ８）よりも電圧Ｖｄｄから電圧Ｖｔｈ１１及び電圧Ｖｔｈ１２を引いた電圧（Ｖｄｄ−Ｖｔｈ１０−Ｖｔｈ１２）の方が小さい。これにより、駆動用トランジスタ８のドレイン端子電圧が上昇しても、駆動用トランジスタ８がオン状態になるよりも前にトランジスタ１１が先にオン状態になり、駆動用トランジスタ８がオン状態となることを防ぐ。従って、駆動用トランジスタ８は、第Ｎラインプログラム期間においてもオフ状態を維持できる。
【００７０】
本実施形態に係るディスプレイ駆動装置１Ｄによれば、プリチャージ期間を設けなくても最適な階調表現を行うことができる。また、本実施形態に係るディスプレイ駆動装置１Ｄによれば、逆極性のプログラム電流を供給することによっても走査期間中に発光素子が発光することなく最適な階調表現を行うことができる。また、上記構成によれば、例えば、同じタイプのトランジスタを使用する等によって、トランジスタ１１及び駆動用トランジスタ８の各閾値電圧が等しい場合（即ち、Ｖｔｈ１１＝Ｖｔｈ８の場合）でもＥＬ電源線電圧Ｖｄｄとゲート信号線ＬＧ２のオフ制御電圧Ｖｇ８を等しくできるので、ディスプレイ駆動装置１Ｄの回路構成を簡素化できる。
【００７１】
なお、本実施形態において、トランジスタ１１及び１２はＰ型トランジスタであった。しかし、本発明はこの構成に限らず、トランジスタ１１及び１２がＮ型トランジスタであってもよい。また、トランジスタ１１及び１２が、それぞれＰ型及びＮ型トランジスタであっても、Ｎ型及びＰ型トランジスタであってもよい。トランジスタ１１がＮ型トランジスタである場合には、発光素子７のカソード端子及びアノード端子を逆に接続し、走査期間中におけるトランジスタ１１のゲート端子電圧は、走査期間中における駆動用トランジスタ８のゲート端子電圧Ｖｇ８以上となるように設定し、トランジスタ１１及び１２がそれぞれＰ型及びＮ型トランジスタ、又はＮ型及びＰ型トランジスタである場合には、トランジスタ１２のゲート端子をドレイン端子側に接続することで、本実施形態と同様の効果が得られる。また、トランジスタ１１及び１２としてＴＦＴ（薄膜トランジスタ）を用いてもよく、本実施形態と同様の効果を奏する。
【００７２】
≪実施形態６≫
図７は、本発明の実施形態６における電流プログラム方式のディスプレイ駆動装置１Ｅの構成を示すブロック図である。図７において、ディスプレイ駆動装置１Ｅは、ソース信号線ＬＳに与えられる電流Ｉｓを生成するプログラム用電流源２、ゲート信号線ＬＧによって制御されるスイッチとしての駆動用Ｐ型トランジスタ１５、プログラム期間中に駆動用Ｐ型トランジスタ１５がオン状態となることを防止するための逆極性過電圧防止回路９Ｅ、プログラム電流Ｉｐを供給する電流プログラム回路１３Ａ、及び、入力される電流に応じて発光する発光ユニット１４を備える。発光ユニット１４は、有機発光素子を含む。
【００７３】
ディスプレイ駆動装置１Ｅは、駆動用Ｐ型トランジスタ１５を制御するゲート信号を入力するためのゲート信号線ＬＧ、及び、表示階調に応じた電流Ｉｓをディスプレイ駆動装置へ伝播させるソース信号線ＬＳに接続されている。
【００７４】
電流プログラム回路１３Ａは、プログラム電流Ｉｐに応じた電荷を保持する記憶容量（図示しない）を備える。駆動用Ｐ型トランジスタ１５のソース端子は発光ユニット１４に接続され、ドレイン端子は逆極性過電圧防止回路９Ｅに接続され、ゲート端子はゲート信号線ＬＧに接続されている。
【００７５】
逆極性過電圧防止回路９Ｅは、駆動用Ｐ型トランジスタ１５のゲート端子電圧（ゲート信号線ＬＧの電圧）Ｖｇ１５と駆動用トランジスタ１５の閾値電圧Ｖｔｈ１５との差電圧（Ｖｇ１５−Ｖｔｈ１５）よりも低い所定の電圧Ｖｐ２以上の電圧が駆動用トランジスタ１５のドレイン端子に印加されることを防止する。即ち、逆極性過電圧防止回路９Ｅは、入力した電圧が電圧Ｖｐ２以上である場合には、その入力した電圧を電圧Ｖｐ２より低い電圧に降圧して出力するための降圧回路を含む。
【００７６】
なお、図７において、駆動用Ｐ型トランジスタ１５の発光ユニット１４に接続された一端をソース端子とし、逆極性過電圧防止回路９Ｅへ接続された一端をドレイン端子としているが、本発明の実施形態としては、これに限らず、駆動用Ｐ型トランジスタ１５のソース端子及びドレイン端子が逆の構成であってもよい。
【００７７】
図７のように構成されたディスプレイ駆動装置１Ｅについて、以下その動作について説明する。一例として、走査期間中において、ゲート信号線ＬＧに入力される信号の電圧と電流Ｉｓとが図８のように操作される場合について考える。図８は、本実施形態に係るディスプレイ駆動装置１Ｅの動作を説明する図である。なお、第Ｎラインプログラム期間中の電位は駆動用Ｐ型トランジスタ１５のドレイン端子電圧を基準にして説明する。
【００７８】
図８の第Ｎ−１ラインプログラム期間において、駆動用Ｐ型トランジスタ１５は、ゲート信号線ＬＧを介して入力されるロウレベルの電圧によってオフ状態（非導通状態）に制御されている。駆動用Ｐ型トランジスタ１５の閾値電圧Ｖｔｈ１５と、ドレイン端子電圧に対するゲート信号線のオフ制御電圧Ｖｇ１５との間には以下の関係式（６）が成り立つ。
【００７９】
［数６］
Ｖｇ１５＞Ｖｔｈ１５・・・（６）
【００８０】
次に、第Ｎラインプログラム期間において、ゲート信号線ＬＧを介して入力される信号の電圧がハイレベルとなる。プログラム用電流源２は、逆極性の電流Ｉｓをソース信号線ＬＳに供給する。プログラム電流Ｉｐは、電流プログラム回路１３Ａにより逆極性の電流Ｉｓに対応する値（負値）に収束する。このとき、駆動用Ｐ型トランジスタ１５のドレイン端子電圧が上昇しようとするが、逆極性過電圧防止回路９Ｅが設けられている故に、駆動用Ｐ型トランジスタ１５のドレイン端子電圧が電圧Ｖｇ１５と電圧Ｖｔｈ１５との差電圧（Ｖｇ１５−Ｖｔｈ１５）より低い所定の電圧Ｖｐ２以上に上昇することがない。言い換えれば、駆動用トランジスタ１５のドレイン−ゲート間端子電圧が駆動用トランジスタ１５の閾値電圧Ｖｔｈ１５以下になることはない。従って、駆動用Ｐ型トランジスタ１５は、第Ｎラインプログラム期間においてもオフ状態に維持され、図８に示すように、発光ユニット１４に供給される電流（ＥＬ電流）は第Ｎラインプログラム期間において０である。即ち、逆極性の電流Ｉｓをソース信号線ＬＳに供給して、第Ｎラインプログラム期間に発光ユニット１４が発光して階調表現を妨げることがない。
【００８１】
さらに次に、第Ｎ＋１ラインプログラム期間中において、駆動用Ｐ型トランジスタ１５は、ゲート信号線ＬＧを介して入力されるロウレベルの電圧によってオフ状態（非導通状態）に制御される。プログラム用電流源２は、電流Ｉｓを０とする。電流プログラム回路１３によりプログラム電流Ｉｐは０に収束する。第Ｎ＋１ラインプログラム期間においても、駆動用Ｐ型トランジスタ１５は、オフ状態に維持される。
【００８２】
本実施形態に係るディスプレイ駆動装置１Ｅによれば、プリチャージ期間を設けなくても最適な階調表現を行うことができる。また、本実施形態に係るディスプレイ駆動装置１Ｅによれば、逆極性のプログラム電流を供給することによっても走査期間中に発光素子が発光することなく最適な階調表現を行うことができる。
【００８３】
≪実施形態７≫
図９は、本発明の実施形態７におけるディスプレイ駆動装置１Ｆの構成を示すブロック図である。本発明の実施形態７におけるディスプレイ駆動装置１Ｆは、図７に示した実施形態６に係る駆動用Ｐ型トランジスタ１５に代えて駆動用Ｎ型トランジスタ１６を有する点、及び、逆極性過電圧防止回路９Ｅに代えて逆極性過電圧防止回路９Ｆを有する点において、図７に示した実施形態６に係るディスプレイ駆動装置１Ｅとは異なる。それ以外の点においては、図７に示した実施形態６に係るディスプレイ駆動装置１Ｅと同様であり、同一符号を付した構成要素についての重複した詳細な説明は省略する。
【００８４】
駆動用Ｎ型トランジスタ１６のソース端子は発光ユニット１４に接続され、ドレイン端子は逆極性過電圧防止回路９Ｆに接続され、ゲート端子はゲート信号線ＬＧに接続されている。
【００８５】
逆極性過電圧防止回路９Ｆは、駆動用Ｎ型トランジスタ１６のゲート端子電圧（ゲート信号線ＬＧの電圧）Ｖｇ１６と駆動用Ｎ型トランジスタ１６の閾値電圧Ｖｔｈ１６との差電圧（Ｖｇ１６−Ｖｔｈ１６）よりも高い所定の電圧Ｖｐ３以下の電圧が駆動用Ｎ型トランジスタ１６のドレイン端子に印加されることを防止する。即ち、逆極性過電圧防止回路９Ｆは、入力した電圧が電圧Ｖｐ３以下である場合には、その入力した電圧を電圧Ｖｐ３より高い電圧に昇圧して出力するための昇圧回路を含む。
【００８６】
なお、図９において、駆動用Ｎ型トランジスタ１６の発光ユニット１４に接続された一端をソース端子とし、逆極性過電圧防止回路９Ｆへ接続された一端をドレイン端子としているが、本発明の実施形態としては、これに限らず、ソース端子及びドレイン端子が逆の構成であってもよい。
【００８７】
図９のように構成されたディスプレイ駆動装置１Ｆについて、以下その動作について説明する。一例として、走査期間中において、ゲート信号線ＬＧに入力される信号と電流Ｉｓとが図１０のように操作される場合について考える。図１０は、本実施形態に係るディスプレイ駆動装置１Ｆの動作を説明する図である。なお、第Ｎラインプログラム期間中の電位は駆動用Ｎ型トランジスタ１６のドレイン端子電圧を基準にして説明する。
【００８８】
図９の第Ｎ−１ラインプログラム期間において、駆動用Ｎ型トランジスタ１６は、ゲート信号線ＬＧを介して入力されるハイレベルの電圧によりオフ状態（非導通状態）に制御される。駆動用Ｎ型トランジスタ１６の閾値電圧Ｖｔｈ１６と、ドレイン端子電圧に対するゲート信号線ＬＧのオフ制御電圧−Ｖｇ１６との間には以下の関係式（７）が成り立つ。
【００８９】
［数７］
Ｖｇ１６＜Ｖｔｈ１６・・・（７）
【００９０】
次に、第Ｎラインプログラム期間において、ゲート信号線ＬＧを介して入力される信号の電圧がロウレベルとなる。プログラム用電流源２は、逆極性の電流Ｉｓをソース信号線ＬＳに供給する。プログラム電流Ｉｐは、電流プログラム回路１３Ａにより逆極性の電流Ｉｓに対応する値（負値）に収束する。このとき、駆動用Ｎ型トランジスタ１６のドレイン端子電圧が下降しようとするが、逆極性過電圧防止回路９Ｆが設けられている故に、駆動用Ｎ型トランジスタ１６のドレイン端子電圧が、電圧Ｖｇ１６と電圧Ｖｔｈ１６との差電圧（Ｖｇ１６−Ｖｔｈ１６）より大きい一定の電圧Ｖｐ３以下に下降することがない。言い換えれば、駆動用トランジスタ１６のドレイン−ゲート間端子電圧が、駆動用トランジスタ１６の閾値電圧Ｖｔｈ１６以上になることはない。従って、駆動用Ｎ型トランジスタ１６は、第Ｎラインプログラム期間においてもオフ状態に維持され、図１０に示すように、発光ユニット１４に供給される電流（ＥＬ電流）は第Ｎラインプログラム期間において０である。即ち、逆極性の電流Ｉｓをソース信号線ＬＳに供給して、第Ｎラインプログラム期間に発光ユニット１４が発光して階調表現を妨げることがない。
【００９１】
さらに次に、第Ｎ＋１ラインプログラム期間中において、駆動用Ｎ型トランジスタ１６は、ゲート信号線ＬＧを介して入力されるハイレベルの電圧によってオフ状態（非導通状態）に制御される。プログラム用電流源２は、電流Ｉｓを０とする。電流プログラム回路１３Ａによりプログラム電流Ｉｐは０に収束する。第Ｎ＋１ラインプログラム期間においても、駆動用Ｎ型トランジスタ１６は、オフ状態に維持される。
【００９２】
本実施形態に係るディスプレイ駆動装置１Ｆによれば、プリチャージ期間を設けなくても最適な階調表現を行うことができる。また、本実施形態に係るディスプレイ駆動装置１Ｆによれば、逆極性のプログラム電流を供給することによっても走査期間中に発光素子が発光することなく最適な階調表現を行うことができる。
【産業上の利用可能性】
【００９３】
本発明に係るディスプレイ駆動装置は、例えば、有機ＥＬディスプレイに利用される有機ＥＬパネルを駆動するためのディスプレイ駆動装置として利用できる。
【図面の簡単な説明】
【００９４】
【図１】本発明の実施形態１に係るディスプレイ駆動装置の構成を示す回路図である。
【図２】本発明の実施形態１乃至５に係るディスプレイ駆動装置の動作を説明する図である。
【図３】本発明の実施形態２に係るディスプレイ駆動装置の構成を示す回路図である。
【図４】本発明の実施形態３に係るディスプレイ駆動装置の構成を示す回路図である。
【図５】本発明の実施形態４に係るディスプレイ駆動装置の構成を示す回路図である。
【図６】本発明の実施形態５に係るディスプレイ駆動装置の構成を示す回路図である。
【図７】本発明の実施形態６に係るディスプレイ駆動装置の構成を示すブロック図である。
【図８】本発明の実施形態６に係るディスプレイ駆動装置の動作を説明する図である。
【図９】本発明の実施形態７に係るディスプレイ駆動装置の構成を示すブロック図である。
【図１０】本発明の実施形態７に係るディスプレイ駆動装置の動作を説明する図である。
【符号の説明】
【００９５】
１，１Ａ，１Ｂ，１Ｃ，１Ｄ，１Ｅ，１Ｆ…ディスプレイ駆動装置、
２…電流源、
３…記憶容量、
４〜６，１０〜１２，１５，１６…トランジスタ、
７…発光素子、
８…駆動用トランジスタ、
９，９Ａ，９Ｂ，９Ｃ，９Ｄ，９Ｅ，９Ｆ…逆極性過電圧防止回路、
１３，１３Ａ…電流プログラム回路、
１４…発光ユニット、
ＬＰ…ＥＬ電源線、
ＬＧ１，ＬＧ２，ＬＧ…ゲート信号線、
ＬＳ…ソース信号線。
【図１】
2007240909.tif 000003
【図２】
2007240909.tif 000004
【図３】
2007240909.tif 000005
【図４】
2007240909.tif 000006
【図５】
2007240909.tif 000007
【図６】
2007240909.tif 000008
【図７】
2007240909.tif 000009
【図８】
2007240909.tif 000010
【図９】
2007240909.tif 000011
【図１０】
2007240909.tif 000012